(57)【要約】    【課題】  リップのルアーボディへの取り付けが容易で、且つリップとルアーボディの接着強度、製造自由度が高く、高飛距離を実現可能なリップ、ルアーボディ、ルアー及びリップの取付方法を提供する。    【解決手段】  ルアーボディ２と分離して一体形成が可能なプラスチック製であって、適度な厚みを有し、かつ角度に高さを持たせた特殊な形状のリップ１に、二つ以上の大きさが異なる又は同等の突出部３を設けた。また、ルアーボディ２においては、突出部３より若干大きめの取付穴４を設けた。取付穴４に突出部３を挿入すると隙間９が生じ、その隙間９の範囲内でリップ１の角度を調整できる。【選択図】  図１
2006158249.tif 000002
【特許請求の範囲】
【請求項１】
複数種類のルアーボディと交換して取付可能なルアーのリップであって、
前記ルアーボディとの当接面に突出部を有し、
前記突出部は、前記ルアーボディに設けられた前記突出部を挿入する取付穴より小径に形成されていることを特徴とするルアーのリップ。
【請求項２】
ルアーボディとの取付面に突出部が設けられたリップを取付可能なルアーボディであって、
当該ルアーボディにおいて設けられた前記突出部を挿入するリップ取付穴が、前記リップに設けられた突出部より大きく形成されていることを特徴とするルアーボディ。
【請求項３】
リップをルアーボディに一体に取り付けてなるルアーであって、
リップにおけるルアーボディとの取付面には一個あるいは複数個の突出部が設けられ、この突出部を前記ルアーボディにおける前記リップとの当接面に設け、かつ前記突出部より大きな取付穴に差し込み、前記突出部と取付穴との隙間に接着剤を充填することにより又は溶着することにより、前記リップ及び前記ルアーボディが一体的に固着されていることを特徴とするルアー。
【請求項４】
ルアーボディとの当接面に突出部を備えるリップと、
当該突出部を受け入れる当該突出部より大きく形成された取付穴を備えるルアーボディを用い、
当該ルアーボディの取付穴に前記リップの突出部を挿入し、前記突出部と取付穴との隙間を利用してルアーボディとリップとの取付位置を調整しながら前記リップとルアーボディとを接着剤で固着する工程を有するルアーのリップの取付方法。
【請求項５】
ルアーボディの表面に平坦あるいは曲状のリップ取付面を設け、
リップのルアーボディとの接合部にも平坦あるいは曲状の接合面を形成し、その接合面に突出部を設け、
突出部を取付穴に挿入するとともにルアーボディの取付面とリップの接合面を重ねあわせ、これらの部分を接着することでリップとルアーボディを接合する取付構造。
【発明の詳細な説明】
【技術分野】
【０００１】
本発明は、リップのルアーボディーへの取り付けが容易でリップとルアーボディの接着強度が高いルアーのリップ、ルアーボディ、ルアー及びリップの取付方法に関するものである。
【背景技術】
【０００２】
ハンドメイドルアーの場合、一般的にルアーボディは木製で構成される（例えば特許文献１参照）。一般的なルアーの作成は、次のように行う。すなわち、木材をルアーの形に切り出し、紙ヤスリ等で表面を滑らかに加工する。次に、おもりを埋め込んだり、釣り糸等を結びつけるヒートンを取り付けた後、塗装を行い、防水加工を施す。そして、最終工程としてリップを取り付ける。
【０００３】
このリップは、水中に潜らせる等、ルアーにあたかも魚が泳いでいるような動作を生じさせる機能を有し、当該リップの大きさやルアーボディに取り付けた際のリップの角度によってかかる動作が異なるものである。そのため、このリップの取付角度は、ルアーが魚を誘うための動作を決定する重要なものである。また、ルアーは、水中に何度も投入され、リールによって引き寄せられることから、その表面より突出したリップ部分には衝撃が加わりやすく、リップとルアーボディとの接合部には高い強度が望まれていた。
【０００４】
従来、この種のリップをルアーに取り付ける際には、リップ本体の厚み、深さを計算に入れた上で、溝幅、深さの微調整をしながら、電動ノコギリ、ルーター、カッター等を使用して溝入れを行っていた。例えば、図６に示すように、小魚の形状に擬したルアーボディ１０の鼻先から全長１割程度の箇所において、ルアーボディの軸向きに対し直角に深さ８ｍｍ程度の切り込みを入れることにより溝１１を設け、当該溝部分にリップ１２を差し込んで固着させている。
【特許文献１】特開２００４−２２２６３０
【特許文献２】特開平１０−０６６４７８
【発明の開示】
【発明が解決しようとする課題】
【０００５】
しかしながら、従来の溝に薄板状のリップを挿入したルアーにおいては、リップの取付位置は溝の角度や深さによって決定されるため、溝を正確に形式しないとリップの取付角度に狂いが生じ、所望する性能を有するリップを得ることができない問題があった。特に、ルアーボディは魚等の形態を模したものであることから、全体として紡錘状をなし、その表面が曲面であるため、そこに適切な角度で幅の狭い溝を形式することは、熟練を有する作業であり、失敗も多かった。
【０００６】
また、このリップ取付作業は、ルアー作成工程の最終段階で行われるものであるため、溝入れが正しい深さ、角度で行われていないと修正が不可能となり、失敗した場合には製作されたルアーボディを破棄する外はなかった。
【０００７】
その上、上記のような溝に挿入するタイプの従来のルアーでは、リップとルアーボディの接着面積が少ないために実用強度としての接着強度が弱い。すなわち、ルアーはリップに抵抗を受けながら水面あるいは水中を縦横に移動するため、単にリップを長方形の溝に差し込んで固着させただけでは、横方向はもちろん縦方向に対しても耐久性が弱いものであった。特に勢いよく水面と衝突したり、水底に衝突した場合には衝撃でリップがはずれることがあった。
【０００８】
ルアーボディとリップの取付角度や接着強度に対応するため、これらを一体に成型したプラスチック製のルアーも存在するが、この場合、釣り人の目的や好みによってルアーボディとリップとの組合せの自由度が確保されていなかった。また、木製のルアーボディには、一体成型の手法は採用できず問題解決には至らなかった。
【０００９】
本発明は、上記のような従来技術の問題点を解決するために提案されたものであり、その目的は、リップのルアーボディーへの取り付けが容易で、且つリップとルアーボディの接着強度、製造自由度が高く、高飛距離を実現可能なルアーのリップ、ルアーボディ、ルアー及びリップの取付方法を提供することにある。
【課題を解決するための手段】
【００１０】
請求項１に記載の発明は、複数種類のルアーボディと交換して取付可能なリップであって、前記ルアーボディとの当接面に突出部を有し、前記突出部は、前記ルアーボディに設けられた前記突出部を挿入する取付穴より小径に形成されていることを特徴とする。
【００１１】
請求項２に記載の発明は、ルアーボディとの取付面に突出部が設けられたリップを取付可能なルアーボディであって、当該ルアーボディにおいて設けられた前記突出部を挿入するリップ取付穴が、前記リップに設けられた突出部より大きく形成されていることを特徴とする。
【００１２】
請求項３に記載の発明は、リップとルアーボディに一体に取り付けてなるルアーであって、リップにおけるルアーボディとの取付面には一個あるいは複数個の突出部が設けられ、この突出部を前記ルアーボディにおける前記リップとの当接面に設け、かつ前記突出部より大きな取付穴に差し込み、前記突出部と取付穴との隙間に接着剤を充填することにより又は溶着することにより、前記リップ及び前記ルアーボディが一体的に固着されていることを特徴とする。
【００１３】
請求項４に記載の発明は、前記リップを前記ルアーボディに取り付ける方法に関するもので、ルアーボディとの当接面に突出部を備えるリップと、当該突出部を受け入れる当該突出部より大きく形成された取付穴を備えるルアーボディを用い、当該ルアーボディの取付穴に前記リップの突出部を挿入し、前記突出部と取付穴との隙間を利用してルアーボディとリップとの取付位置を調整しながら前記リップとルアーボディとを接着剤で固着する工程とからなることを特徴とする。
【００１４】
請求項５に記載の発明は、ルアーボディの表面に平坦あるいは曲状のリップ取付面を設け、リップのルアーボディとの接合部にも平坦あるいは曲状の接合面を形成し、その接合面に突出部を設け、突出部を取付穴に挿入するとともにルアーボディの取付面とリップの接合面を重ねあわせ、これらの部分を接着することでリップとルアーボディを接合することを特徴とする。
【００１５】
以上の態様では、前記突出部より前記取付穴の形状を大きく構成することにより、当該突出部を当該取付穴に差し込んだ際、遊びの部分（隙間）が生じ、その隙間の範囲内でリップとルアーボディの取付位置に自由度が確保できる。
【００１６】
また、当該取付穴を作成する際に多少穴のずれ、欠け等が生じた場合であっても修正が容易である。そのような場合、当該ずれや欠けが生じた取付穴はルアーボディとリップとを固着させた場合の接着面に存在することになるため、上記従来のように単にリップを長方形の溝に差し込む場合と異なり、修正をしたものが製品時に直接外側に露出することはなく、高い生産効率を実現することができる。
【００１７】
さらに、前記リップにおける突出部が前記ルアーボディにおける取付穴に差し込まれた状態で固着することにより、上述した従来のリップ取付構造に比べてリップとルアーボディの接着面積が大きくなるため、接着強度の改善が図れる。すなわち、本発明のリップ取付構造では、リップとルアーボディを接合することにより、リップにおける突出部とルアーボディにおける取付穴との接着部分のみならず、当該突出部を形成するリップの平坦面あるいは曲面及びルアーボディにおける取付穴を形成する平坦面あるいは曲面も接合することとなり、従来の溝に薄板状の差し込むことにより接合させる取付構造よりも多面に渡る接着面があるため、高い接着強度を確保できる。
【発明の効果】
【００１８】
以上説明したように、本発明によれば、リップのルアーボディーへの取り付けが容易で、且つリップとルアーボディの接着強度、製造自由度が高く、高飛距離を実現可能なルアーのリップ、ルアーボディ、ルアー及びリップの取付方法を提供することができる。
【発明を実施するための最良の形態】
【００１９】
次に、本発明を実施するための最良の形態（以下、実施形態とする）を、図１乃至図５を参照して説明する。
【００２０】
［実施形態の構成］
図1は、本発明のリップ１をルアーボディ２に取り付けてなるルアーの側面、正面、斜底面の斜視図である。一般に、ルアーのリップはルアーボディの頭部に装着されるもので、本発明のルアーは、リップ１の突出部３をルアーボディ２の取付穴４に挿入して固着させ、当該突出部３と当該取付穴４の当接面が外観に現れない態様で構成される。
【００２１】
図２は、本発明のリップ１についてを示すものである。リップ１はＡＢＳ樹脂、ポリカーボネート等を一体形成してなるものであって、ルアーボディ２の正面における幅より若干大きい幅を有する平滑なリップ部５と、このリップ部５の上部にリップ部５に対して略直角に形成されたルアーボディ２への取付面６を備えている。この取付面６には、前後一対の円柱形突出部３が設けられている。また、板状をしたリップ１本体の背面、すなわち、ルアーボディ２の後方の面には、前記ルアーボディ２の軸に沿って後方から前方にかけて徐々に厚みを持たせながら突起した状態に形成される曲面７を備えている。
【００２２】
このように、リップ部５の背後が曲面７が形成されていることにより、キャスティング時にリップ１に受ける空気抵抗や水中での運動の抵抗を減少させることが可能となり、ルアーの飛距離を伸ばすことができる。また、リップ１の形状は、釣り人の好みに合わせルアーボディ２の軸に沿って後方から前方にかけて徐々に厚みをもたせる形状ではなく、従来のような薄状板に形成することも可能である。
【００２３】
突出部３の形状は、四角柱、三角柱、円柱あるいは楕円柱のいずれでもよいが、ルアーボディ２の取付穴４に当該突出部３を差し込んだ際、円滑な位置調整が可能であるという観点から、円柱であることが好ましい。また、突出部３の数は２つ又は３つ以上であってもよく、さらに、突出部３をルアーボディ２の軸に沿って縦に形成する他、横に形成することも可能である。さらに、突出部３を１箇所設けることも考えられる。しかしながら、小魚に擬した一般的なルアーボディ２の全長及び横幅の大きさが小径に形成されていること及び突出部３が一つである場合は、突出部３をルアーボディ２の取付穴４に差し込んだ際、リップ１本体が突出部３及び取付穴４を軸として自由な位置変更を行うため、適切な位置で安定させることが困難であることを考慮すると、突出部３はルアーボディ２の軸方向に沿って縦列に２箇所設けることが好ましい。しかしながら、ルアーボディ２の種類によってはそれぞれの形状、例えばリップ１の取付面の面積を大きく確保できない場合等を考慮して、突出部３を１つ設けることが好ましい場合もある。
【００２４】
図３は、本発明に係るルアーボディ２の構成についてを示すものである。ルアーボディ２は、小魚の形状を擬した木製、プラスチック製、発砲系（スチロール、ウレタン）等あるいは金属製であって、ルアーボディ２の前方、後方、あるいは底面部分に釣り糸等を結びつけるためのヒートン８を備え、小魚（例えばマイワシ等）に擬するための塗装、並びに防水加工を施され、リップ１を取り付けるためのリップ取付穴４を備えた構成からなる。
【００２５】
取付穴４はボール盤等のドリルで空け、又はルアーボディ２がプラスチック製、発砲系（スチロール、ウレタン）等あるいは金属製である場合には予め型で取付穴４を形成しておく。取付穴４はルアーボディ２の頭部寄りの底面に1箇所あるいはルアーボディ２の軸に沿って前後に渡り縦列に形成するほか、軸に対して直角（横列）に２箇所設けることも可能である。ルアーボディ２が小径である点を考慮すると、ルアーボディ２の底面における横幅に対して８割程度の直径を有する取付穴４を１箇所あるいは縦列に２箇所設けることが好ましい。
したがって、リップ１の突出部３は、かかる取付穴４より若干小径に形成することが必要であるため、取付穴４の直径より２〜３mm程度小さく形成することが好ましい。
【００２６】
図４は、この発明に係るリップ１をルアーボディ２に取り付ける方法について具体的な実施例を示すものである。すなわち、リップ１における突出部３をルアーボディ２の対応する取付穴４に挿入し、固着することにより取り付けるものである。具体的な取付作業の工程としては、まずルアーボディ２にリップ１を取り付ける位置を考慮した上で、ルアーボディ２にリップ１を取り付ける位置の印を付ける（マーキング）。この際、リップ取付位置として、一般的にはルアーの下あごにあたる箇所にマーキングを行うが、リップの取付位置に応じて、下あご部分のみならず、頭、正面、尾ビレにあたる箇所にマーキングすることも可能である。
【００２７】
適当な位置にマーキングを行った後、ボール盤、ドリル等を使用して、ルアーボディ２にリップ取付穴４を設ける。卓上ボール盤、ドリル等は、穴の幅や深さを設定して調節することができ、特別な又は熟練した技術を持たない者であっても、容易に取付穴４を空けることが可能である。取付穴４を設けた後は目止めも兼ねて本体色と同色系の目止め剤を取付穴４に染みこませる。
【００２８】
次に、ルアーボディ２とリップ１の固着を向上させるために、紙ヤスリ等でルアーボディ２とリップ１の接着面の両方を軽くこする。その後、ルアーボディ２とリップ１に耐水性・耐久性に優れた、硬化後には淡色透明又は透明となる色調の二液性エポキシ樹脂系ボンドを付けて取り付ける。この際、不必要なボンド液は拭き取ることにより除去する。あるいは、リップ１及びルアーボディ２がＡＢＳ等のプラスチックを材質とする場合であれば、突出部３及び取付穴４の双方同士を溶かし合わせ溶着する。ボンドあるいは溶着部分が硬化する前にリップ１の位置を修正した後、ボンドあるいは溶着部分が硬化することにより当該ルアーボディ２において適当な位置に本発明のリップ１を取り付けることが可能である。
【００２９】
このように、本実施形態によれば、ボンドあるいは溶着面が硬化する前であれば、リップ１の突出部３及び取付穴４を軸にして上下左右あるいは斜めのいずれの方向であっても、位置調整の自由度を確保できる（図５）。すなわち、当該突出部３が当該取付穴４より小径に形成されていることにより、挿入の際、遊び部分（隙間）９が生じるため、その範囲内でリップ１の位置を調整することが可能となる。
【００３０】
また、突出部３を取付穴４に挿入した際、突出部３の円柱表面と取付穴４の表面が当接することにより、上記に示した従来のリップ取付作業を行う場合よりも広範囲の接着面積が確保されることから、リップ１及びルアーボディ２の接着強度が増す利点もある。
【図面の簡単な説明】
【００３１】
【図１】本発明の一実施形態におけるルアーであり、（ａ）はリップを取り付けた際の側面図、（ｂ）はリップを取り付けた際の正面図、（ｃ）はリップを取り付けた際の斜底面方向からの斜視図。
【図２】本発明の一実施形態におけるリップ（ａ）及び一実施形態におけるリップ（ｂ）の斜視図。
【図３】図１の実施形態のルアーボディの斜視図。
【図４】図１の実施形態のリップをルアーボディに取り付ける方法であって、（ａ）は取付ける直前の状態、（ｂ）は取付けた際の状態を示す図。
【図５】図１の実施形態のリップをルアーボディに取り付ける際に位置調整が可能であることを示すものであって、（ａ）は上下左右、（ｂ）は斜め方向に調整可能であることを示す図。
【図６】従来技術によるリップ取付作業を示す斜視図。
【符号の説明】
【００３２】
１、１２…リップ
２、１０…ルアーボディ
３…突出部
４…取付穴
５…リップ部
６…取付面
７…曲面
８…ヒートン
９…隙間
１１…リップ差し込み溝
【図１】
2006158249.tif 000003
【図２】
2006158249.tif 000004
【図３】
2006158249.tif 000005
【図４】
2006158249.tif 000006
【図５】
2006158249.tif 000007
【図６】
2006158249.tif 000008
【手続補正書】
【提出日】平成17年4月5日(2005.4.5)
【手続補正１】
【補正対象書類名】明細書
【補正対象項目名】００２４
【補正方法】変更
【補正の内容】
【００２４】
図３は、本発明に係るルアーボディ２の構成についてを示すものである。ルアーボディ２は、小魚の形状を擬した木製、プラスチック製、発泡系（スチロール、ウレタン）等あるいは金属製であって、ルアーボディ２の前方、後方、あるいは底面部分に釣り糸等を結びつけるためのヒートン８を備え、小魚（例えばマイワシ等）に擬するための塗装、並びに防水加工を施され、リップ１を取り付けるためのリップ取付穴４を備えた構成からなる。
【手続補正２】
【補正対象書類名】明細書
【補正対象項目名】００２５
【補正方法】変更
【補正の内容】
【００２５】
取付穴４はボール盤等のドリルで空け、又はルアーボディ２がプラスチック製、発泡系（スチロール、ウレタン）等あるいは金属製である場合には予め型で取付穴４を形成しておく。取付穴４はルアーボディ２の頭部寄りの底面に1箇所あるいはルアーボディ２の軸に沿って前後に渡り縦列に形成するほか、軸に対して直角（横列）に２箇所設けることも可能である。ルアーボディ２が小径である点を考慮すると、ルアーボディ２の底面における横幅に対して８割程度の直径を有する取付穴４を１箇所あるいは縦列に２箇所設けることが好ましい。
したがって、リップ１の突出部３は、かかる取付穴４より若干小径に形成することが必要であるため、取付穴４の直径より２〜３mm程度小さく形成することが好ましい。